(57)【要約】【課題】  ギミックによる演出効果の向上を図るとともに、不要な電池の消耗を防ぎ、購買時にギミックが良好に発生するようにする。【解決手段】  購入者がディスクケース１０の蓋１３を開けると、これが開閉センサ２０２によって検知される。検知結果が、メインスイッチ１０８を介して電源１０６に供給されると、電源１０６からギミック発生装置各部に駆動電力が供給され、各部が動作を開始する。更に開閉センサ２０２の検知結果に基づいて検知識別回路２２０でカウンタ２２４がカウントアップする。カウント値は、ギミックデータ抽出回路１１０に供給され、データリスト１１２からカウント値に対応するギミックデータが抽出され、音声信号生成回路１２０を経て発音体１２２から再生・出力される。カウント値が異なると、異なるギミックデータが再生される。【選択図】図２
2006082831.tif 000002
【特許請求の範囲】
【請求項１】
外部からの作用を検知するセンサ手段，これによって作用が検知されたときにギミックを発生するギミック発生手段，各部に駆動電力を供給する電源手段を備えたメディアケースであって、
前記ギミック発生手段によって発生するギミックの内容を、前記センサ手段による検知に対応して変化させるギミック変更手段を備えたことを特徴とするメディアケース。
【請求項２】
前記センサ手段が、前記メディアケースの蓋の開閉に関する作用を検知することを特徴とする請求項１記載のメディアケース。
【請求項３】
前記ギミック発生手段が、人間の五感で感ずることができるギミックを少なくとも一つ発生することを特徴とする請求項１又は２記載のメディアケース。
【請求項４】
前記ギミック発生手段が、複数の種類のギミックを発生することを特徴とする請求項３記載のメディアケース。
【請求項５】
前記ギミック発生手段が、一つの種類のギミックを、態様を変化させて発生することを特徴とする請求項３又は４記載のメディアケース。
【請求項６】
前記電源手段が、前記センサ手段による検知があったときに駆動電力の供給を開始する手段を備えたことを特徴とする請求項１〜５のいずれかに記載のメディアケース。
【請求項７】
前記電源手段が、駆動電力の供給を完全に止める手段を備えたことを特徴とする請求項１〜６のいずれかに記載のメディアケース。
【請求項８】
前記ギミック変更手段が、複数のセンサ手段による検知に対応してギミックの内容を変化させることを特徴とする請求項１〜７のいずれかに記載のメディアケース。
【発明の詳細な説明】
【技術分野】
【０００１】
本発明は、ＣＤ（Compact Disc）やＤＶＤ（Digital Versatile DiscないしDigital Video Disc）などを収納するメディアケースに関し、より具体的には、蓋の開閉に伴って音や光などの何らかのギミック（からくり，仕掛け）が発生するメディアケースの改良に関するものである。
【背景技術】
【０００２】
ギミックが発生するように工夫されたメディアケースとしては、下記特許文献に記載されたものがある。これらのうち、特許文献１に記載された「ケース」は、ＣＤなどの他に、該ＣＤの音声の一部を記録した別のＩＣチップが用意されており、これによってＣＤに記録されている曲の最初の数十秒間がスピーカから再生される。特許文献２に記載された「メッセージ伝播手段を含む包装と、この手段を担持するためのボード」は、音声メッセージを記録した集積回路，電池，変換器，操作手段を設けたボードがＣＤ保護ケース内に収納されており、ＣＤ保護ケースを耳に押し当てると、スピーカから音声メッセージが再生される。特許文献３に記載された「情報記録媒体収納ケース」は、収納体と外箱体との間の間隙に、音発生部，ケース開閉検出部などを配置した構成となっており、ケースの蓋を開けると音楽が発生する。他に、折りたたまれているカードを見開き状態にすると、音楽などが奏でられるグリーティングカードもある。
【特許文献１】特開平１１−１５２１７６号公報
【特許文献２】特表平１１−５１１４２０号公報
【特許文献３】特開２００１−１８０７７９公報
【発明の開示】
【発明が解決しようとする課題】
【０００３】
ところで、「蓋を開けると音が鳴り出す」という仕掛けは、エンターテイメントソフトであるＣＤやＤＶＤ商品の「演出性」を高めて、消費者の購買意欲をかきたてようという狙いがあるが、発生する音楽などの『ギミック』が毎回同じでは、購入者にとって飽きがきてしまう可能性がある。一方、ケースの蓋を開ける毎に音が鳴るような場合、購入者がうっとうしい，煩わしいと感ずることも想定される。
【０００４】
更に、ギミック発生のきっかけとなる蓋の開閉を検知する際に光センサ，速度センサ等が使われる場合がある。ところが、センサを作動させるためには、ふたを閉じている間でも僅かづつ電流を流す必要がある。従って、ＣＤやＤＶＤなどのメディアケースにそのまま応用した場合、倉庫保管中や店頭中でもセンサ等に電流が流れ続けることになる。すると、それら保管期間ないし陳列期間が長期間（例えば半年）にわたった場合、エネルギー源である電池が放電しきってしまい、購入者がそのＣＤあるいはＤＶＤを購入したときには『ギミック』が発生しないという事態が起こり得る可能性がある。
【０００５】
本発明は、以上の点に着目したもので、その目的は、ギミックによる演出効果の向上を図り、繰り返し楽しめるようにすることである。他の目的は、不要な電池の消耗を防ぎ、購買時にギミックが良好に発生するようにすることである。
【課題を解決するための手段】
【０００６】
前記目的を達成するため、本発明は、外部からの作用を検知するセンサ手段，これによって作用が検知されたときにギミックを発生するギミック発生手段，各部に駆動電力を供給する電源手段を備えたメディアケースであって、前記ギミック発生手段によって発生するギミックの内容を、前記センサ手段による検知に対応して変化させるギミック変更手段を備えたことを特徴とする。
【０００７】
主要な形態の一つは、前記センサ手段が、前記メディアケースの蓋の開閉に関する作用を検知することを特徴とする。他の形態の一つは、前記ギミック発生手段が、人間の五感で感ずることができるギミックを少なくとも一つ発生することを特徴とする。更に他の形態は、前記ギミック発生手段が、複数の種類のギミックを発生することを特徴とする。更に他の形態は、前記ギミック発生手段が、一つの種類のギミックを、態様を変化させて発生することを特徴とする。更に他の形態は、前記電源手段が、前記センサ手段による検知があったときに、駆動電力の供給を開始する手段を備えたことを特徴とする。あるいは、前記電源手段が、駆動電力の供給を完全に止める手段を備えたことを特徴とする。更に他の形態は、前記ギミック変更手段が、複数のセンサ手段による検知に対応してギミックの内容を変化させることを特徴とする。本発明の前記及び他の目的，特徴，利点は、以下の詳細な説明及び添付図面から明瞭になろう。
【発明の効果】
【０００８】
本発明によれば、外部からの作用を検知し、これによりギミックを発生する際に、そのギミックの内容が変化するので、演出効果が向上し、繰り返し楽しむことができる。駆動電力の供給を制御することで、不要な電池の消耗を防ぐことができる。
【発明を実施するための最良の形態】
【０００９】
以下、本発明を実施するための最良の形態を、実施例に基づいて詳細に説明する。
【実施例１】
【００１０】
最初に、図１〜図３を参照しながら本発明の実施例１を説明する。本実施例は、本発明をＤＶＤを収納するディスクケース１０に適用した例である。ディスクケース１０は、図１に示すように、適宜の２つ折のケース本体１２にディスクトレイ１４を貼り合わせた構造となっており、ケース本体１２の蓋１３はディスクトレイ１４に対して開閉自在となっている。ディスクトレイ１４には、ディスク（図示せず）を収納する凹部１６が設けられており、該収納凹部１６の周囲には、ディスクを取り出すときに指をディスク周囲に掛けるための指用凹部１８が４箇所設けられている。更に、ディスクトレイ１４の収納凹部１６の中央には、ＤＶＤのセンターホールに嵌まり込むクランパ２０が設けられている。
【００１１】
以上のようなディスクケース１０には、図２に示すギミック発生装置１００が取り付けられる。図２において、ギミック発生装置１００は、前記蓋１３の開閉などのイベントの発生を検知するセンサ手段１０２，このセンサ手段１０２による検知結果に基づいて音などのギミックを発生するギミック発生手段１０４，装置の各部に駆動電力を供給する電源１０６，この電源１０６のメインスイッチ１０８によって構成されている。
【００１２】
これらのうち、センサ手段１０２は、センサ群２００と検知識別回路２２０によって構成されている。センサ群２００としては、前記蓋１３の開閉を検知する開閉センサ２０２，蓋１３の開閉の速度を検知する速度センサ２０４，蓋１３の開閉の加速度を検知する加速度センサ２０６，蓋１３の開閉の角度を検知する角度センサ２０８，ケース外部の明るさを検知する照度センサ２１０，などが必要に応じて設けられる。検知識別回路２２０は、設定値メモリ２２２，カウンタ２２４，電波時計２２６を備えており、これらを利用してギミック発生の有無を識別するための回路である。
【００１３】
一方、ギミック発生手段１０４は、ギミックデータ抽出回路１１０，音声信号生成回路１２０及び発音体１２２，発光信号生成回路１３０及び発光体１３２，振動信号生成回路１４０及び振動体（バイブレータ）１４２，画像信号生成回路１５０及び表示体（ディスプレイ装置）１５２によって構成されている。
【００１４】
これらのうち、ギミックデータ抽出回路１１０は、予め用意されている多数のギミックデータが集積されているデータリスト１１２を備えている。そして、前記センサ手段１０２による検知結果に対応して、該当するギミックデータがデータリスト１１２から抽出される。音声信号生成回路１２０は、入力データに基づいて音声信号を生成する回路で、生成された音声信号は、発音体１２２で音として再生出力されるようになっている。発光信号生成回路１３０は、入力データに基づいて発光信号を生成する回路で、生成された発光信号は、発光体１３２で光として再生出力されるようになっている。振動信号生成回路１４０は、入力データに基づいて振動信号を生成する回路で、生成された振動信号は、振動体１４２で振動として再生出力されるようになっている。画像信号生成回路１５０は、入力データに基づいて画像信号を生成する回路で、生成された画像信号は、表示体１５２で画像として再生出力されるようになっている。
【００１５】
図３には、図１に示したディスクケース１０に、図２に示したギミック発生装置１００を取り付けた様子が示されている。図示の例は、センサ群２００のうち開閉センサ２０２を備えており、ギミック発生手段１０４として音声信号生成回路１２０と発音体１２２を備えたものである。電源１０６，メインスイッチ１０８，開閉センサ２０２，検知識別回路２２０，ギミックデータ抽出回路１１０，音声信号生成回路１２０は、ケース本体１２とディスクトレイ１４との間に形成される隙間の適宜位置に収納されている。これらのうち、開閉センサ２０２は、蓋１３の開閉に伴ってＯＮ・ＯＦＦ動作できる位置に設けられている。その縦断面を図１(B)に示す。同図のように、開閉センサ２０２は、基板２０２Ａ上に設けられており、固定片２０２Ｂと、矢印Ｆ１方向にスライド可能なスライド片２０２Ｃによって構成されている。固定片２０２Ｂの一端は基板２０２Ａ上に固定されており、他端は前記スライド片２０２Ｃに接触可能となっている。一方、スライド片２０２Ｃは、蓋１３の開閉に連動してスライドする構成となっている。これにより、固定片２０２Ｂとスライド片２０２Ｃは、蓋１３が閉じているときは電気的に非接触のＯＦＦの状態となり、逆に蓋１３を開いたときは電気的に接触したＯＮの状態となる。これにより、蓋１３の開閉が検知されるようになっている。
【００１６】
このような開閉センサ２０２は、検知識別回路２２０に接続されている。検知識別回路２２０は、例えば、開閉センサ２０２によって蓋１３の開が検知される毎にカウンタ２２４によって動作を行い、カウント値を設定値メモリ２２２に保存する。設定値メモリ２２２は、不揮発のメモリ，例えばフラッシュメモリによって構成されており、電力の供給が途絶えてもカウント値が保存されるようになっている。電波時計２２６については後述する。
【００１７】
一方、検知識別回路２２０の前記カウント値は、ギミックデータ抽出回路１１０に出力されるようになっている。ギミックデータ抽出回路１１０は、複数のギミックデータをデータリスト１１２として備えており、このデータリスト１１２から入力カウント値に対応するギミックデータを抽出する機能を備えている。抽出されたギミックデータは、音声信号生成回路１２０に供給され、ここで対応する音声信号が生成されて、発音体１２２に供給される構成となっている。
【００１８】
発音体１２２は、前記ディスクトレイ１４のクランパ２０内に設けられている。図３の＃Ｂ−＃Ｂ線に沿って矢印方向に見た断面を図１(C)に示す。同図のように、クランパ２０は、中央の凸部２０Ａと、その周辺の台座部２０Ｂによって構成されている。また、凸部２０Ａには開口２０Ｃやスリット２０Ｄが設けられている。そして、前記台座部２０Ｂ内には、例えばリング状の両面テープや接着剤１２２Ａによって発音体（スピーカ）１２２が固定されている。更に、本実施例では、発音体１２２の周囲に、両面テープやホットメルトによってリング状のシール４０が設けられている。これにより、発音体１２２の裏面側であって、ケース本体１２とディスクトレイ１４の間に閉空間ないし気室４０Ａが形成されている。音声信号生成回路１２０から発音体１２２に音声信号を供給するリード線１２２Ｂは、シール４０を貫通して発音体１２２の端子１２２Ｃに接続されている。
【００１９】
次に、本実施例の動作を説明すると、ディスクケース１０は、ディスクトレイ１４にＤＶＤが収納凹部１６に収納される。この状態では、メインスイッチ１０８がＯＦＦであり、各部に対する電力の供給は行われない。そして、ＤＶＤ購入の際に、販売店の店員あるいは購入者自身によって、メインスイッチ１０８がＯＦＦからＯＮに切り換えられる。すると、電源１０６からのギミック発生装置１００の各部に対する電力供給が可能な状態となる。
【００２０】
この状態で、購入者がディスクケース１０の蓋１３を開けると、これが開閉センサ２０２によって検知される。検知結果が、メインスイッチ１０８を介して電源１０６に供給されると、電源１０６からギミック発生装置各部に駆動電力が供給され、各部が動作を開始する。上述した開閉センサ２０２の検知結果が検知識別回路２２０に入力されると、検知識別回路２２０はカウンタ２２４の機能を利用して「１」カウントアップする。このカウント値は、設定値メモリ２２２に格納されるとともに、ギミックデータ抽出回路１１０に供給される。ギミックデータ抽出回路１１０では、データリスト１１２からカウント値「１」に対応するギミックデータが抽出される。抽出されたギミックデータは、音声信号生成回路１２０に供給され、ここでギミックデータに基づいて音声信号が生成される。生成された音声信号は、発音体１２２に供給され、音声として再生出力される。
【００２１】
ギミックデータとその再生の態様としては、例えば、以下のようなものが考えられる。
(1)２つの音楽１，２を用意し、カウント値が奇数のときは音楽１を再生し、カウント値が偶数のときは音楽２を再生する。すなわち、蓋１３の開閉の毎に、音楽１，２を交互に繰り返し再生する。
【００２２】
(2)通常の音楽，声（鳥の声など），効果音（ビープ音や波の音など）を用意し、カウントアップの毎に、それらを順に再生する。すなわち、蓋１３の開閉の毎に、音楽→声→自然音（効果音）→音楽・・・の順で繰り返し再生する。なお、音楽，声，効果音などは、実際の音を録音したものであってもよいし、人工的に生成したものであってもよい。
【００２３】
(3)ディスクケース１０に収納されているＤＶＤが特定の人気グループが主演する内容のような場合に、そのグループに属するメンバーＡ，Ｂ，・・・のメッセージＭＡ，ＭＢ，・・・を用意し、カウントアップ毎に、それらを順に再生する。すなわち、蓋１３の開閉の毎に、メンバーＡのメッセージＭＡ→メンバーＢのメッセージＭＢ・・・の順でメッセージを再生する。
【００２４】
(4)ディスクケース１０に収納されているＤＶＤがホラー映画のような場合、映画の舞台になっている廃墟の扉を開けるときのような軋み音を用意する。そして、蓋１３を開ける動作中は、前記軋み音が発生する。また、蓋１３を閉めるときにも同様に軋み音が発生する。すなわち、蓋１３の開閉時に廃墟の扉の軋み音がそれぞれ再生される。なお、複数の軋み音１，２を用意し、軋み音１は蓋１３を開くときの音，軋み音２は蓋１３を閉めるときの音という具合にしてもよい。
【００２５】
なお、上述したように、カウント値は、不揮発の設定値メモリ２２２に格納・保存される。従って、購入者がメインスイッチ１０８をＯＦＦにしたとしても、カウント値は保存される。このため、再びメインスイッチ１０８をＯＮにしたときでも、カウント値はリセットされずに連続して変化してゆくので、メインスイッチ１０８をＯＦＦにしても、ギミックの内容は連続して変化してゆくようになる。例えば、前記(2)の例では、音楽→声→自然音→音楽→声→自然音→・・・の順で繰り返し再生される。
【００２６】
以上のように、本実施例によれば、次のような効果がある。
(1)ディスクケース１０の蓋１３の開閉の毎に、異なるギミックが発生するため、演出効果が向上し、繰り返し楽しむことができる。
(2)ＤＶＤ購入の際にメインスイッチを投入して各部に駆動電力を供給することとしたので、不要な電池の消耗を防ぐことができる。また、メインスイッチを切換えることで、ギミック発生の停止，再開を任意に設定することができる。
【実施例２】
【００２７】
次に、実施例２について説明する。本実施例では、図２に示す発光信号生成回路１３０及び発光体１３２，振動信号生成回路１４０及び振動体１４２，画像信号生成回路１５０及び表示体１５２が設けられている。これらのうち、
(1)発光信号生成回路１３０・・・ギミックデータ抽出回路１１０から供給されたギミックデータに基づいて発光信号を生成するための回路，
(2)振動信号生成回路１４０・・・ギミックデータ抽出回路１１０から供給されたギミックデータに基づいて振動信号を生成するための回路，
(3)画像信号生成回路１５０・・・ギミックデータ抽出回路１１０から供給されたギミックデータに基づいて画像信号を生成するための回路，
である。いずれも、上述した音声信号生成回路１２０の近傍に設けられる。
【００２８】
発光体１３２は、発光ダイオードなどによって構成されており、例えば蓋１３のディスクトレイ１４や蓋１３の内側などの適宜の位置に設けられる（図示せず）。振動体１４２は、圧電素子などによって構成されており、ケース１０の適宜位置に設けられている（図示せず）。表示体１５２は、液晶ディスプレイなどによって構成されており、ケース１０の適宜位置に設けられている（図示せず）。
【００２９】
次に、本実施例の動作を説明すると、前記実施例では、ギミックデータ抽出回路１１０で抽出されたギミックデータに基づいて音声が出力されたが、本実施例では、ギミックデータが発光信号生成回路１３０，振動信号生成回路１４０，画像信号生成回路１５０に供給され、発光体１３２が発光したり、振動体１４２が振動したり、表示体１５２に画像が表示される。
【００３０】
ギミックデータとその再生出力の態様としては、例えば以下のようなものがある。
(1)複数の発光色を用意し、カウント値によって異なる色の発光を発光体１３２で行う。例えば、「青」及び「赤」の色を用意し、カウント値が奇数のときは「青」の発光，カウント値が偶数のときは「赤」の発光という具合である。
【００３１】
(2)複数の点滅間隔を用意し、カウント値によって発光体１３２の発光間隔を変化させる。例えば、カウント値が奇数のときは点滅の間隔を短く、カウント値が偶数のときは点滅の間隔を長くするという具合である。
【００３２】
(3)複数の振動周波数を用意し、カウント値によって振動体１４２の振動周波数を変化させる。例えば、カウント値が奇数のときは振動周波数を高く、カウント値が偶数のときは振動周波数を低くするという具合である。
【００３３】
(4)ＤＶＤに収録されている映画の一部（ワンシーン）を複数用意し、カウント値によって表示体１５２に表示されるシーンを順次切り換えていく。なお、画像再生時には、上述した実施例１を組み合わせて、画像に対応する音声を再生するようにしてもよい。
【００３４】
(5)以上のような発光，振動，画像表示（更には音声再生）を、カウント値に応じて適宜組み合わせる。また、毎カウントの度にギミックの内容を変更するのではなく、何回かのカウント，例えば３回のカウント毎にギミックの内容を変更するようにしてもよい。
【００３５】
このように、本実施例によれば、前記実施例の音声に加えて、発光，振動，画像表示によるギミック発生が行われるので、更に演出性が向上するようになる。
【実施例３】
【００３６】
次に、本発明の実施例３について説明する。本実施例は、各種のセンサを利用して蓋１３の開閉の様子を捉え、それに基づいてギミックを発生させるようにしたものである。本実施例では、前記実施例の開閉センサ２０２の他に、
1)速度（角速度）センサ２０４・・・蓋１３の開閉の速度を検知するセンサ，
2)加速度センサ２０６・・・蓋１３の開閉の加速度を検知するセンサ，
3)角度センサ２０８・・・蓋１３の開閉の角度を検知するセンサ，
4)照度センサ２１０・・・ケース外側の明るさを検知するセンサ，
がそれぞれ設けられている。これらのセンサの検知結果は、いずれも検知識別回路２２０に供給されている。
【００３７】
次に、本実施例の動作を説明すると、本実施例では、センサ群２００に含まれる各種のセンサによって蓋１３の開閉の様子がより詳細に検知され、それらの検知結果に基づいて、ギミックが発生する。
【００３８】
センサによる検知とギミック発生の態様としては、例えば以下のようなものがある。
(1)蓋１３を開ける速度を速度センサ２０４で検知し、検知速度に対応してギミックの内容も変化させる。例えば、ＤＶＤがオリンピックなどのスポーツの記録映画が収録されている場合には、ギミックデータとして、ゆっくり走るランナーと早く走るランナーの画像をそれぞれデータリスト１１２に用意する。画像は、実写映像でもよいし、アニメーションでもよい。そして、速度センサ２０４による蓋１３の開閉速度がゆっくりか、早いかを検知する速度閾値を、予め設定して検知識別回路２２０の設定値メモリ２２２に格納しておく。検知識別回路２２０で速度センサ２０４の検知結果が前記速度閾値未満であると識別されたときは、ギミックデータ抽出回路１１０ではデータリスト１１２からゆっくり走るランナーのギミックデータが抽出され、これが画像信号生成回路１５０に供給される。すると、表示体１５２に、ゆっくり走るランナーの画像が表示される。逆に、検知識別回路２２０で速度センサ２０４の検知結果が前記速度閾値以上であると識別されたときは、ギミックデータ抽出回路１１０ではデータリスト１１２から早く走るランナーのギミックデータが抽出され、これが画像信号生成回路１５０に供給される。すると、表示体１５２に、早く走るランナーの画像が表示される。
【００３９】
(2)ＤＶＤに落語が収録されている場合には、ギミックデータとして、ゆっくり話している音声と早く話している音声をそれぞれデータリスト１１２に用意する。そして、速度センサ２０４による蓋１３の開閉速度がゆっくりか、早いかを検知する速度閾値を、予め設定して検知識別回路２２０の設定値メモリ２２２に格納しておく。検知識別回路２２０で速度センサ２０４の検知結果が前記速度閾値未満であると識別されたときは、ギミックデータ抽出回路１１０ではデータリスト１１２からゆっくり話す音声のギミックデータが抽出され、これが音声信号生成回路１２０に供給される。すると、発音体１２２から、ゆっくり話す落語の音声が出力される。逆に、検知識別回路２２０で速度センサ２０４の検知結果が前記速度閾値以上であると識別されたときは、ギミックデータ抽出回路１１０ではデータリスト１１２から早く話す音声のギミックデータが抽出され、これが音声信号生成回路１２０に供給される。すると、発音体１２２から、早く話す落語の音声が出力される。なお、データリスト１１２に用意する音声データは、普通の速度で落語を話しているデータのみとし、これを、蓋１３の開閉速度に応じて早く再生したり、ゆっくり再生するようにしてもよい。なお、早く再生すると、結果的に声の高さが高くなる。
【００４０】
(3)例えば、ホラー映画がＤＶＤに収録されているような場合に、通常の速度で蓋１３を開けると、その映画のテーマ音楽の一部が鳴り出し、ゆっくり蓋１３を開けると、映画の舞台になっている廃墟の扉を開けるときのような軋み音が発生するというものが考えられる。
【００４１】
加速度センサ２０６，角度センサ２０８，照度センサ２１０についても同様である。すなわち、センサ検知結果が設定値メモリ２２２に保存されている閾値を超えるか否かにより、異なるギミックデータをデータリスト１１２から抽出し、音声，振動，映像などとして発生する。
【００４２】
このように、本実施例によれば、蓋１３の開閉について複数のセンサで検知動作を行うこととしたので、蓋１３の開閉の動きに応じた多様なギミックを発生させることができ、表現の豊かな演出効果が実現できる。
【実施例４】
【００４３】
次に、本発明の実施例４について説明する。本実施例は、時刻に応じてギミックの内容を変化させたものであり、検知識別回路２２０に電波時計２２６が設けられている。時刻を計時する手段として機械式の時計が考えられるが、ぜんまいが伸びきってしまうと計時が泊まってしまうので、好ましくない。また、電気式の時計については、メインスイッチ１０８がＯＦＦになると計時が止まってしまい、メインスイッチ１０８をＯＮにしてもリセットされた状態からの計時開始となってしまう。そこで、リセット時に電波を受信して時刻を修正することができ、計時を正確に行うことができる電波時計２２６を採用している。
【００４４】
本実施例では、検知識別回路２２０による検知識別の再に、電波時計２２６が参照され、時刻情報もギミックデータ抽出回路１１０に提供される。ギミックデータ抽出回路１１０では、センサ群２００の検知結果に基づく検知識別と時刻情報を参照しながら、データリスト１１２から該当するギミックデータが抽出され、対応するギミックが発生する。
【００４５】
センサ群２００による検知とギミック発生の態様としては、例えば以下のようなものがある。
(1)例えば、クリスマスをテーマとする映画が収録されているＤＶＤで、開閉センサ２０２による蓋１３の開閉に伴ってギミックが発生するような場合、午前６時から午後５時までは収録されている映画のメインテーマが再生され、午後５時から午前０時までは当該映画の中でもっともロマンチックな劇中音楽が再生され、午前０時から午前６時まではクリスマスキャロルが再生される。
【００４６】
(2)特定の歌手のプロモーション用ＤＶＤで、同様に開閉センサ２０２による蓋１３の開閉カウント値に対応して異なるギミックが発生するような場合、例えば午前４時から午後１０時まではカウント値に応じて収録されている曲の一部が順次切り換えて再生され、午後１０時から午前０時までは歌手のメッセージが再生され、午前０時から午前４時までは光が出力される。
【００４７】
このように、本実施例によれば、時刻に応じてギミックの内容を変更することができる。なお、他に、日時，潮の干満，月の満ち欠けなどに応じてギミックの内容を変更するようにしてもよい。また、最初に蓋１３を開けたときの時刻を検知識別回路２２０の設定値メモリ２２２に保存し、これからの経過時間に応じてギミックを変更するようにしてもよい。
【００４８】
なお、本発明は、上述した実施例に限定されるものではなく、本発明の要旨を逸脱しない範囲内において種々変更を加え得ることができる。例えば、以下のものも含まれる。
(1)前記実施例では、メインスイッチ１０８としては、絶縁片によって電源回路を遮断しておき、この絶縁片を引き抜くことで通電状態になるスイッチを用いてもよい。このようなスイッチを使えば、販売前の保管時や商品陳列時には絶縁片を挿入したままにしておくことで、電池の無用な消耗を防ぐことができる。購入時に絶縁片を販売者が引き抜くか、購入後に購入者が絶縁片を引き抜くことで『ギミック』発生の準備が整うことになる。その他、各種のスイッチや電源回路を使用してよい。
【００４９】
(2)センサ群としては、ケースに対する外部からの作用を検知するものであれば、必要に応じて各種のセンサを使用してよい。例えば、磁気を検知するリードスイッチ，赤外線を検知する赤外線センサ，圧力を検知する圧力センサ，光を検知する光センサ，ケースの回転を検知するジャイロなど、各種のものを使用してよい。リードスイッチの場合は、例えばディスクケースの蓋側に磁石を設け、蓋の開閉に伴ってリードスイッチをＯＮ／ＯＦＦさせるようにする。赤外線スイッチの場合は、例えばディスクケースの外側に赤外線センサを設け、手でディスクケースを持ったときにそれを赤外線センサで検知してギミックを発生させる。圧力スイッチの場合は、例えば、ディスクケースを押したときに圧力スイッチがＯＮとなってギミックを発生させる。
【００５０】
(3)また、複数のセンサを単独で使用してもよいし、組み合わせて使用してもよい。同一のセンサを複数設けるようにしてもよい。例えば、角度センサ２個とタイマを用意し、第１の角度センサが所定の角度θ１に蓋が達すると第１のパルスが発生し、第２の角度センサが所定の角度θ２に蓋が達すると第２のパルスが発生するように構成する。そして、第１のパルスと第２のパルスの発生時間間隔をタイマで計測すれば、そのデータをもとに蓋の開閉スピードを検知することができる。
【００５１】
(4)前記実施例では、検知内容に対応して発生するギミックを決めたが、発生させるギミックの内容はランダムでもよい。例えば、乱数表を用意し、これを利用して蓋の開閉毎に乱数を発生させる。そして、発生した乱数に応じてギミックデータをデータリスト１１２から抽出するようにすれば、蓋の開閉毎に異なるギミックを発生させることができる。前記乱数に対して何らかの演算を施すようにしてもよい。更に、一つのセンサ検知に基づいて複数のギミックを発生させてもよいし、複数のセンサ検知に基づいて一つのギミックを発生させてもよい。ギミックの内容は、人間が五感で感ずることができるものであれば、どのようなものでもよい。
【００５２】
(5)前記実施例に示した回路構成も、同様の作用を奏するように設計変更してよい。例えば、前記実施例では、電波時計２２６を検知識別に使用したが、時計は時刻のセンサであると考えれば、センサ群２００に電波時計２２６を含めることができるし、ギミックデータ抽出の際の条件であると考えれば、ギミックデータ抽出回路１１０に電波時計２２６を含めることができ、ギミック発生の際の条件であると考えれば、生成回路１２０〜１５０に電波時計２２６を含めることができる。もちろん、マイクロコンピュータを使用してソフト的に実行するようにしてもよい。
【００５３】
(6)前記実施例では、メインスイッチ１０８をＯＦＦとすることによって各部への電力供給を停止し、ギミックの発生を止めることができるが、予め定めた一定期間，一定のギミック発生回数の経過の後は、ギミックの発生を止めるようにしてもよい。
【００５４】
(7)前記実施例では、電源として、いわゆるボタン電池を使用する場合を示したが、太陽電池などを利用してもよい。
【産業上の利用可能性】
【００５５】
本発明によれば、ＣＤやＤＶＤなどのメディアケースに適用することで、極めて趣向性に富む表現の豊かな付加価値のあるメディアケースを提供することができる。
【図面の簡単な説明】
【００５６】
【図１】本発明の実施例１を示す図である。(A)はディスクケースを示す分解斜視図，(B)は開閉センサの縦断面図，(C)は図３の＃Ｂ−＃Ｂ線に沿って矢印方向に見た断面図である。
【図２】本発明の実施例１のギミック発生装置の構成を示すブロック図である。
【図３】前記実施例１を適用したディスクケースの一例を示す斜視図である。
【符号の説明】
【００５７】
１０：ディスクケース
１２：ケース本体
１３：蓋
１４：ディスクトレイ
１６：収納凹部
１８：指用凹部
２０：クランパ
２０Ａ：凸部
２０Ｂ：台座部
２０Ｃ：開口
２０Ｄ：スリット
４０：シール
４０Ａ：気室
１００：ギミック発生装置
１０２：センサ手段
１０４：ギミック発生手段
１０６：電源
１０８：メインスイッチ
１１０：ギミックデータ抽出回路
１１２：データリスト
１２０：音声信号生成回路
１２２：発音体
１２２Ａ：接着剤
１２２Ｂ：リード線
１２２Ｃ：端子
１３０：発光信号生成回路
１３２：発光体
１４０：振動信号生成回路
１４２：振動体
１５０：画像信号生成回路
１５２：表示体
２００：センサ群
２０２：開閉センサ
２０２Ａ：基板
２０２Ｂ：固定片
２０２Ｃ：スライド片
２０４：速度センサ
２０６：加速度センサ
２０８：角度センサ
２１０：照度センサ
２２０：検知識別回路
２２２：設定値メモリ
２２４：カウンタ
２２６：電波時計
【図１】
2006082831.tif 000003
【図２】
2006082831.tif 000004
【図３】
2006082831.tif 000005